(57)【特許請求の範囲】
【請求項１】
複数の配送伝票が互いに分離可能に区画形成され、
前記複数の配送伝票のそれぞれは、
配送物に貼着可能に構成された第１のシートと、
少なくとも一部が剥離可能となるように前記第１のシートに貼着され、前記第１のシートとの貼着面とは反対側の面に配送情報が付与される第２のシートとを有し、
前記第１のシートは、前記第２のシートとの貼着面のうち前記第２のシートが剥離可能となる領域に、前記複数の配送伝票毎に異なり、かつ、１つの印刷データとして管理されている広告情報が記載されている配送伝票シート。
【発明の詳細な説明】
【技術分野】
【０００１】
本発明は、複数の配送伝票が互いに分離可能に区画形成された配送伝票シートに関し、特に、配送伝票に広告情報が記載された配送伝票シートに関する。
【背景技術】
【０００２】
従来より、配送物を配送する場合、配送物の配送元及び配送先の住所や氏名あるいは名称等の配送情報が記載された配送伝票が用いられ、配送情報が記載された配送伝票が配送物に貼着され、配送伝票に記載された配送情報に従って配送物が配送先に配送されている。
【０００３】
近年、このような配送伝票に広告情報を記載することが考えられている（例えば、特許文献１，２参照。）。配送伝票は、配送物の配送元と配送先とでそれぞれ目にされるため、このように配送伝票に広告情報を記載しておけば、少なくとも２人の人物が広告情報を見ることになり、配送物を配送するという目的以外に広告情報を広く告知することができるという効果がある。また、配送物を配送する配送業者においても、広告情報が記載された配送伝票を作製するための費用で大きな広告収入を見込むことができる。
【特許文献１】特開２００２−１７８６６７号公報
【特許文献２】特開２００３−２２０４３号公報
【発明の開示】
【発明が解決しようとする課題】
【０００４】
しかしながら、上述したように広告情報が記載された配送伝票においては、配送業者において予め決められた広告情報が記載されることになるため、１つの配送先に複数の配送物が配送される場合であってもそれが同一の配送業者を用いたものであれば配送物の配送先に１つの広告情報しか提供されないことになり、複数の配送物を配送することによる広告情報の効果が大きいとは言い難い。
【０００５】
そこで、異なる広告情報が記載された複数種類の配送伝票を作製することが考えられるが、その場合、作製する配送伝票の種類に応じて、広告情報を記載するための設定をしなければならないとともに、広告情報のデータ管理が煩雑となってしまうという問題点がある。
【０００６】
本発明は、上述したような従来の技術が有する問題点に鑑みてなされたものであって、作業を煩雑とすることなく、配送物毎に異なる広告情報を提供可能な配送伝票を作製することができる配送伝票シートを提供することを目的とする。
【課題を解決するための手段】
【０００７】
上記目的を達成するために本発明は、
複数の配送伝票が互いに分離可能に区画形成され、
前記複数の配送伝票のそれぞれは、
配送物に貼着可能に構成された第１のシートと、
少なくとも一部が剥離可能となるように前記第１のシートに貼着され、前記第１のシートとの貼着面とは反対側の面に配送情報が付与される第２のシートとを有し、
前記第１のシートは、前記第２のシートとの貼着面のうち前記第２のシートが剥離可能となる領域に、前記複数の配送伝票毎に異なり、かつ、１つの印刷データとして管理されている広告情報が記載されている。
【０００８】
上記のように構成された本発明においては、複数の配送伝票が分離され、第１のシート側にて配送物に貼着されて使用される。配送物に貼着された配送伝票は、配送物が配送先に届けられた後等に、第１のシートに貼着された第２のシートのうち、第１のシートに対して剥離可能である領域が第１のシートから剥離される。第１のシートには、第２のシートとの貼着面のうち第２のシートが剥離可能となる領域に広告情報が記載されているが、この広告情報は、配送伝票シートを構成する複数の配送伝票毎に異なるものであるため、同一の配送伝票シートから作製された配送伝票を用いた場合であっても、配送物毎に異なる広告情報が提供されることになる。
【発明の効果】
【０００９】
以上説明したように本発明においては、複数の配送伝票が互いに分離可能に区画形成され、複数の配送伝票を構成する第１のシートに、複数の配送伝票毎に異なる広告情報が記載されている構成としたため、１つの配送伝票シートで配送物毎に異なる広告情報を提供可能な配送伝票を作製することができる。
【発明を実施するための最良の形態】
【００１０】
以下に、本発明の実施の形態について図面を参照して説明する。
【００１１】
図１は、本発明の配送伝票シートの実施の一形態を示す図であり、（ａ）は伝票用紙２の表面図、（ｂ）はラベル用紙６の表面図、（ｃ）は（ａ）に示したＡ−Ａ’断面図、（ｄ）は（ａ）に示したＢ−Ｂ’断面図である。
【００１２】
本形態は図１に示すように、第１のシートであるラベル用紙６と、第２のシートである伝票用紙２とがその全面にて互いに貼着されて構成されたものであり、このラベル用紙６と伝票用紙２によって構成される３つの配送伝票１ａ〜１ｃがスリット４２によって分離可能に区画形成されている。
【００１３】
配送伝票１ａ〜１ｃはそれぞれ、配送票１０と送り状２０と売上票３０とが、伝票用紙２に形成されたスリット４１を介して連接している。配送票１０には、配送物の配送元及び配送先の住所や氏名等の情報、並びに配送物の品名等からなる配送情報を印字あるいは記入するための配送情報印字領域１１と、配送物の配送先にて受領印を押下するための押下領域１２とが設けられており、また、送り状２０には、配送情報印字領域１１に印字あるいは記入された情報と同一の配送情報を印字あるいは記入するための配送情報印字領域２１が設けられている。
【００１４】
配送伝票１ａ〜１ｃのうち配送票１０及び売上票３０となる領域は、伝票用紙２の裏面に剥離剤が塗布されることにより剥離剤層３が形成され、この剥離剤層３が形成された面が粘着剤４ａによってラベル用紙６に全面貼着されている。また、配送伝票１ａ〜１ｃのうち送り状２０となる領域は、伝票用紙２の裏面に剥離剤層３が形成されずに粘着剤４ａによってラベル用紙６に全面貼着されている。これにより、伝票用紙２のうち配送票１０及び売上票３０となる領域がラベル用紙６に対して剥離可能に貼着され、また、伝票用紙２のうち送り状２０となる領域がラベル用紙６に対して剥離困難に貼着されている。
【００１５】
ラベル用紙６は、伝票用紙２との貼着面のうち、伝票用紙２が剥離可能となる領域である、伝票用紙２の配送票１０及び売上票３０と対向する領域に広告情報５１ａ〜５１ｃ，５２ａ〜５２ｃがそれぞれ印刷されることにより印刷層５が形成され、その印刷層５が形成された面の全面に、伝票用紙２とラベル用紙６とを貼着するための粘着剤４ａが塗布されている。この粘着剤４ａとしては、例えば、０．５Ｍｐａ以上１０Ｍｐａ以下の圧力でシートどうしを貼着可能な非感圧性の水性エマルジョン粘着剤を用いることが考えられる。水性エマルジョン粘着剤は、水を主成分とする液中にこの液と混じりあわない樹脂が微粒子となって分散した粘着剤であって、塗布時には水分があるが、塗布後、水分が蒸発し、粘着剤の微粒子が残留する。また、ラベル用紙６の伝票用紙２との貼着面とは反対側の面の全面には、粘着剤４ｂによって剥離紙７が剥離可能に貼着されている。
【００１６】
ここで、ラベル用紙６に印刷される広告情報５１ａ〜５１ｃ，５２ａ〜５２ｃについて説明する。
【００１７】
ラベル用紙６に印刷される広告情報５１ａ〜５１ｃ，５２ａ〜５２ｃは互いに異なるものである。具体的には、配送伝票１ａ〜１ｃのそれぞれについて、ラベル用紙６の配送票１０に対向する領域に印刷された広告情報５１ａ〜５１ｃと、ラベル用紙６の売上票３０に対向する領域に印刷された広告情報５２ａ〜５２ｃとが互いに異なっている。また、３つの配送伝票１ａ〜１ｃについてラベル用紙６の配送票１０に対向する領域どうしについても、配送伝票１ａの配送票１０に対向する領域に印刷された広告情報５１ａと、配送伝票１ｂの配送票１０に対向する領域に印刷された広告情報５１ｂと、配送伝票１ｃの配送票１０に対向する領域に印刷された広告情報５１ｃとが互いに異なるものとなっている。また、３つの配送伝票１ａ〜１ｃについてラベル用紙６の売上票３０に対向する領域どうしについても、配送伝票１ａの売上票３０に対向する領域に印刷された広告情報５２ａと、配送伝票１ｂの売上票３０に対向する領域に印刷された広告情報５２ｂと、配送伝票１ｃの売上票３０に対向する領域に印刷された広告情報５２ｃとが互いに異なるものとなっている。
【００１８】
以下に、上記のように構成された配送伝票シート１の製造方法について説明する。
【００１９】
まず、連続状のラベル用紙６の一方の面に広告情報５１ａ〜５１ｃ，５２ａ〜５２ｃを印刷することにより印刷層５を形成する。この際、ラベル用紙６の他方の面には、粘着剤４ｂによって剥離紙７が貼着されている。
【００２０】
広告情報５１ａ〜５１ｃ，５２ａ〜５２ｃは、互いに異なるものであるが、１枚の配送伝票シート１における１つの印刷データとして管理されている。すなわち、広告情報５１ａ〜５１ｃ，５２ａ〜５２ｃが、配送伝票シート１における、配送伝票１ａ〜１ｃ、並びにこれら配送伝票１ａ〜１ｃの配送票１０及び売上票３０の配置位置に基づいて、１枚の配送伝票シート１に印刷される情報として配置されて組み合わされ、１つの印刷データでラベル用紙６に広告情報５１ａ〜５１ｃ，５２ａ〜５２ｃとして印刷される。これにより、１つの印刷データを用いて、配送伝票１ａ〜１ｃ毎に異なる広告情報５１ａ〜５１ｃ，５２ａ〜５２ｃがラベル用紙６に印刷されることになる。
【００２１】
また、伝票用紙２の一方の面に配送情報印字領域１１，２１及び押印領域１２を設けるための印刷を施す。
【００２２】
次に、伝票用紙２の印刷が施された面とは反対側の面に剥離剤を塗布することにより剥離剤層３を形成する。なお、剥離剤層３は伝票用紙２に予め形成されていてもよい。
【００２３】
次に、ラベル用紙６の印刷層５が形成された面の全面に、水性エマルジョンタイプの粘着剤４ａを塗布する。
【００２４】
そして、粘着剤４ａが乾燥する前に、伝票用紙２の剥離剤層３が形成された面とラベル用紙６の粘着剤４ａが塗布された面とが対向するように伝票用紙２とラベル用紙６とを重ね合わせ、これらを粘着剤４ａによって貼着する。
【００２５】
その後、上述した処理によって互いに貼着された連続状の伝票用紙２、ラベル用紙６及び剥離紙７を図１に示したような単片状に断裁する。
【００２６】
以下に、上述した配送伝票１ａ〜１ｃの使用方法について説明する。
【００２７】
上述したように作製された配送伝票シート１は、例えば、配送情報印字領域１１，２１に配送情報が印字され、その後、剥離紙７が剥離され、ラベル用紙６に塗布された粘着剤４ｂによって、配送票１０、送り状２０及び売上票３０からなる配送伝票１ａ〜１ｃ毎に配送物に貼着されて利用されることになる。この際、配送伝票１ａ〜１ｃの境界部に形成されたスリット４２は、伝票用紙２及びラベル用紙６に形成されているため、剥離紙７を剥離することにより、配送伝票１ａ〜１ｃ毎に分離することができる。
【００２８】
配送伝票１ａ〜１ｃが貼着された配送物は、配送情報印字領域１１，２１に印字された配送情報に従って配送先に配送され、押印領域１２に受領印が押下された後、配送伝票１ａ〜１ｃから配送票１０及び売上票３０が分離されて回収される。
【００２９】
まず、配送伝票１ａから配送票１０及び売上票３０が分離される際の状態について説明する。
【００３０】
図２は、図１に示した配送伝票１ａから配送票１０及び売上票３０が分離される際の状態を説明する図であり、（ａ）は配送伝票１ａから配送票１０及び売上票３０が分離していく状態を示す図、（ｂ）は配送伝票１ａから配送票１０及び売上票３０が分離された状態を示す図である。
【００３１】
配送物に貼着された配送伝票１ａから配送票１０を分離する場合は、配送票１０に設けられた分離開始部４３ａを摘み、図２（ａ）に示すように、配送物から離れる方向に引っ張っていく。すると、伝票用紙２のうち配送票１０となる領域は、裏面に剥離剤層３が形成されていることによってラベル用紙６から剥離されていく。また、配送票１０と送り状２０とはスリット４１を介して連接しているため、配送票１０と送り状２０とが容易に分離される。
【００３２】
このようにして配送票１０を配送物から離れる方向に引っ張っていき、配送票１０が配送伝票１ａから完全に分離すると、図２（ｂ）に示すように、ラベル用紙６の配送票１０に対向する領域に印刷された広告情報５１ａが視認可能な状態となる。この際、ラベル用紙６に配送票１０を貼着していた粘着剤４ａとして、上述した水性エマルジョンタイプのものを用いれば、乾燥後であるため、表面がベタつくことがなく、ゴミ等が付着して広告情報５１ａが見にくくなってしまうことがない。
【００３３】
また、配送物に貼着された配送伝票１ａから売上票３０を分離する場合も同様に、売上票３０に設けられた分離開始部４３ｂを摘み、図２（ａ）に示すように、配送物から離れる方向に引っ張っていく。すると、伝票用紙２のうち売上票３０となる領域は、裏面に剥離剤層３が形成されていることによってラベル用紙６から剥離されていく。また、売上票３０と送り状２０とはスリット４１を介して連接しているため、売上票３０と送り状２０とが容易に分離される。
【００３４】
このようにして売上票３０を配送物から離れる方向に引っ張っていき、売上票３０が配送伝票１ａから完全に分離すると、図２（ｂ）に示すように、ラベル用紙６の売上票３０に対向する領域に印刷された広告情報５２ａが視認可能な状態となる。この際、ラベル用紙６に売上票３０を貼着していた粘着剤４ａとして、上述した水性エマルジョンタイプのものを用いれば、乾燥後であるため、表面がベタつくことがなく、ゴミ等が付着して広告情報５２ａが見にくくなってしまうことがない。
【００３５】
次に、配送伝票１ｂから配送票１０及び売上票３０が分離される際の状態について説明する。
【００３６】
図３は、図１に示した配送伝票１ｂから配送票１０及び売上票３０が分離される際の状態を説明する図であり、（ａ）は配送伝票１ｂから配送票１０及び売上票３０が分離していく状態を示す図、（ｂ）は配送伝票１ｂから配送票１０及び売上票３０が分離された状態を示す図である。
【００３７】
配送物に貼着された配送伝票１ｂから配送票１０を分離する場合は、配送票１０に設けられた分離開始部４３ａを摘み、図３（ａ）に示すように、配送物から離れる方向に引っ張っていく。すると、伝票用紙２のうち配送票１０となる領域は、裏面に剥離剤層３が形成されていることによってラベル用紙６から剥離されていく。また、配送票１０と送り状２０とはスリット４１を介して連接しているため、配送票１０と送り状２０とが容易に分離される。
【００３８】
このようにして配送票１０を配送物から離れる方向に引っ張っていき、配送票１０が配送伝票１ｂから完全に分離すると、図３（ｂ）に示すように、ラベル用紙６の配送票１０に対向する領域に印刷された広告情報５１ｂが視認可能な状態となる。この際、ラベル用紙６に配送票１０を貼着していた粘着剤４ａとして、上述した水性エマルジョンタイプのものを用いれば、乾燥後であるため、表面がベタつくことがなく、ゴミ等が付着して広告情報５１ｂが見にくくなってしまうことがない。
【００３９】
また、配送物に貼着された配送伝票１ｂから売上票３０を分離する場合も同様に、売上票３０に設けられた分離開始部４３ｂを摘み、図３（ａ）に示すように、配送物から離れる方向に引っ張っていく。すると、伝票用紙２のうち売上票３０となる領域は、裏面に剥離剤層３が形成されていることによってラベル用紙６から剥離されていく。また、売上票３０と送り状２０とはスリット４１を介して連接しているため、売上票３０と送り状２０とが容易に分離される。
【００４０】
このようにして売上票３０を配送物から離れる方向に引っ張っていき、売上票３０が配送伝票１ｂから完全に分離すると、図３（ｂ）に示すように、ラベル用紙６の売上票３０に対向する領域に印刷された広告情報５２ｂが視認可能な状態となる。この際、ラベル用紙６に売上票３０を貼着していた粘着剤４ａとして、上述した水性エマルジョンタイプのものを用いれば、乾燥後であるため、表面がベタつくことがなく、ゴミ等が付着して広告情報５２ｂが見にくくなってしまうことがない。
【００４１】
次に、配送伝票１ｃから配送票１０及び売上票３０が分離される際の状態について説明する。
【００４２】
図４は、図１に示した配送伝票１ｃから配送票１０及び売上票３０が分離される際の状態を説明する図であり、（ａ）は配送伝票１ｃから配送票１０及び売上票３０が分離していく状態を示す図、（ｂ）は配送伝票１ｃから配送票１０及び売上票３０が分離された状態を示す図である。
【００４３】
配送物に貼着された配送伝票１ｃから配送票１０を分離する場合は、配送票１０に設けられた分離開始部４３ａを摘み、図４（ａ）に示すように、配送物から離れる方向に引っ張っていく。すると、伝票用紙２のうち配送票１０となる領域は、裏面に剥離剤層３が形成されていることによってラベル用紙６から剥離されていく。また、配送票１０と送り状２０とはスリット４１を介して連接しているため、配送票１０と送り状２０とが容易に分離される。
【００４４】
このようにして配送票１０を配送物から離れる方向に引っ張っていき、配送票１０が配送伝票１ｃから完全に分離すると、図４（ｂ）に示すように、ラベル用紙６の配送票１０に対向する領域に印刷された広告情報５１ｃが視認可能な状態となる。この際、ラベル用紙６に配送票１０を貼着していた粘着剤４ａとして、上述した水性エマルジョンタイプのものを用いれば、乾燥後であるため、表面がベタつくことがなく、ゴミ等が付着して広告情報５１ｃが見にくくなってしまうことがない。
【００４５】
また、配送物に貼着された配送伝票１ｃから売上票３０を分離する場合も同様に、売上票３０に設けられた分離開始部４３ｂを摘み、図４（ａ）に示すように、配送物から離れる方向に引っ張っていく。すると、伝票用紙２のうち売上票３０となる領域は、裏面に剥離剤層３が形成されていることによってラベル用紙６から剥離されていく。また、売上票３０と送り状２０とはスリット４１を介して連接しているため、売上票３０と送り状２０とが容易に分離される。
【００４６】
このようにして売上票３０を配送物から離れる方向に引っ張っていき、売上票３０が配送伝票１ｃから完全に分離すると、図４（ｂ）に示すように、ラベル用紙６の売上票３０に対向する領域に印刷された広告情報５２ｃが視認可能な状態となる。この際、ラベル用紙６に売上票３０を貼着していた粘着剤４ａとして、上述した水性エマルジョンタイプのものを用いれば、乾燥後であるため、表面がベタつくことがなく、ゴミ等が付着して広告情報５２ｃが見にくくなってしまうことがない。
【００４７】
上述したように、１枚の配送伝票シート１から互いに分離された配送伝票１ａ〜１ｃにおいては、貼着された配送物が配送先に配送された後に配送票１０や売上票３０が分離された場合に、互いに異なる広告情報を配送物の配送先に提供することができる。
【００４８】
なお、本形態においては、ラベル用紙６に印刷される広告情報５１ａ〜５１ｃ，５２ａ〜５２ｃが配送伝票シート１毎に１つの印刷データとして管理されているが、上述したようにラベル用紙６に広告情報５１ａ〜５１ｃ，５２ａ〜５２ｃが印刷される際はラベル用紙６が連続状であるため、広告情報５１ａ〜５１ｃ，５２ａ〜５２ｃを複数の配送伝票シート単位で１つの印刷データとして管理することも考えられる。
【００４９】
また、粘着剤４ａとしては、上述した水性エマルジョンタイプのものに限らず、また、粘着剤４ａと剥離剤層３とによる擬似接着構造についてもこれに限らない。擬似接着構造としては、粘着力が弱い粘着剤を用いたり、２層構造のフィルムを用いたりすることも考えられる。
【００５０】
また、本形態においては、配送伝票１ａ〜１ｃのうち送り状２０となる領域が、伝票用紙２の裏面に剥離剤層３が形成されずに粘着剤４ａによってラベル用紙６に全面貼着されているが、この領域においても、配送票１０及び売上票３０となる領域と同様に、伝票用紙２の裏面に剥離剤が塗布されることにより剥離剤層３及び粘着剤４ａによってラベル用紙６に剥離可能に貼着された構成としてもよい。その場合、ラベル用紙６の送り状２０に対向する領域にも広告情報を印刷することが考えられる。
【００５１】
また、本形態においては、３つの配送伝票１ａ〜１ｃがスリット４２によって分離可能に区画形成された配送伝票シート１を例に挙げて説明したが、１枚の配送伝票シートに分離可能に区画形成される配送伝票の数は、複数であれば３つに限らない。
【図面の簡単な説明】
【００５２】
【図１】本発明の配送伝票シートの実施の一形態を示す図であり、（ａ）は伝票用紙の表面図、（ｂ）はラベル用紙の表面図、（ｃ）は（ａ）に示したＡ−Ａ’断面図、（ｄ）は（ａ）に示したＢ−Ｂ’断面図である。
【図２】図１に示した配送伝票から配送票及び売上票が分離される際の状態を説明する図であり、（ａ）は配送伝票から配送票及び売上票が分離していく状態を示す図、（ｂ）は配送伝票から配送票及び売上票が分離された状態を示す図である。
【図３】図１に示した配送伝票から配送票及び売上票が分離される際の状態を説明する図であり、（ａ）は配送伝票から配送票及び売上票が分離していく状態を示す図、（ｂ）は配送伝票から配送票及び売上票が分離された状態を示す図である。
【図４】図１に示した配送伝票から配送票及び売上票が分離される際の状態を説明する図であり、（ａ）は配送伝票から配送票及び売上票が分離していく状態を示す図、（ｂ）は配送伝票から配送票及び売上票が分離された状態を示す図である。
【符号の説明】
【００５３】
１    配送伝票シート
１ａ〜１ｃ    配送伝票
２    伝票用紙
３    剥離剤層
４ａ，４ｂ    粘着剤
５    印刷層
６    ラベル用紙
７    剥離紙
１０    配送票
１１，２１    配送情報印字領域
１２    押印領域
２０    送り状
３０    売上票
４１，４２    スリット
４３ａ，４３ｂ    分離開始部
５１ａ〜５１ｃ，５２ａ〜５２ｃ    広告情報
【図１】
0004845191.tif 000002
【図２】
0004845191.tif 000003
【図３】
0004845191.tif 000004
【図４】
0004845191.tif 000005